【手続補正書】
【提出日】平成18年5月24日(2006.5.24)
【手続補正１】
【補正対象書類名】明細書
【補正対象項目名】発明の名称
【補正方法】変更
【補正の内容】
【発明の名称】経路情報取得システム、方法、端末装置、及び中継装置
【手続補正２】
【補正対象書類名】明細書
【補正対象項目名】特許請求の範囲
【補正方法】変更
【補正の内容】
【特許請求の範囲】
【請求項１】  出発地と目的地を中継装置を介してセンター装置に送信し、経路情報取得を要求する手段を有する端末装置、該要求を受けて前記出発地から目的地に至る経路を探索し、生成した経路情報を前記中継装置を介して前記端末装置に提供するセンター装置を有する経路情報取得システムであって、
前記センター装置は前記探索された経路上の各地点毎の緯度・経度及び付属情報を含む前記生成された経路情報を前記中継装置に送信し、前記中継装置は前記経路情報の各地点毎の緯度・経度及び付属情報を応答情報提供条件に基いて絞り込む手段を備え、該絞り込んだ経路情報を前記端末装置に送信する、経路情報取得システム。
【請求項２】  出発地と目的地を中継装置を介してセンター装置に送信し経路情報の取得を要求する手段を有し、該センター装置から該センター装置で探索され生成された前記出発地から目的地に至る経路情報を前記中継装置を介して受信し、該受信した経路情報を表示手段に表示する端末装置であって、
該端末装置は前記中継装置に経路情報取得の要求を送信する際、前記センター装置から前記中継装置に送信される前記センター装置で探索され生成された経路上の各地点毎の緯度・経度及び付属情報を含む前記経路情報を絞り込む応答情報提供条件を前記中継装置に送信し、該中継装置で絞り込まれた経路情報を受信する端末装置。
【請求項３】  前記応答情報提供条件は、送信されるデータ量の上限、送信時間の上限、及び送信コストの上限うちの少なくとも１つである、請求項２に記載の端末装置。
【請求項４】  端末装置から出発地と目的地と共に経路情報の取得要求を受信し、これをセンター装置に送信し該センター装置から該センター装置で探索され生成された前記出発地から目的地に至る経路情報を受信し、これを前記端末装置に送信する中継装置であって、
前記端末装置から送信された応答情報提供条件に基いて前記センター装置で探索され生成された経路上の各地点毎の緯度・経度及び付属情報を含む前記経路情報を前記端末装置から送信された応答情報提供条件に基いて絞り込む手段を有し、該絞り込まれた経路情報を前記端末装置に送信する中継装置。
【請求項５】  前記応答情報提供条件は、送信されるデータ量の上限、送信時間の上限、及び送信コストの上限のうちの少なくとも１つである、請求項１に記載の経路情報取得システム又は請求項４に記載の中継装置。
【請求項６】  前記経路情報を絞り込む手段は、経路上の各地点の種別毎に優先順位を設け、該各地点単位で緯度・経度及び付属情報を削除又は間引きして絞り込む、請求項１に記載の経路情報取得システム又は請求項４に記載の中継装置。
【請求項７】  前記中継装置は前記絞込んだ経路情報を分割し、前記出発地又は現在地に近い順に前記端末装置に順次送信する、請求項１に記載の経路情報取得システム又は請求項４に記載の中継装置。
【請求項８】  出発地と目的地を中継装置を介してセンター装置に送信し、経路情報取得を要求する手段を有する端末装置、該要求を受けて前記出発地から目的地に至る経路を探索し、生成した経路情報、及び該経路を含む地図情報を前記中継装置を介して前記端末装置に提供するセンター装置を有する経路情報取得システムであって、
前記センター装置は前記探索された経路上の各地点毎の緯度・経度及び付属情報を含む前記生成された経路情報、及び該経路を含む地図情報を前記中継装置に送信し、前記中継装置は前記経路情報の各地点毎の緯度・経度及び付属情報を応答情報提供条件に基いて絞り込む手段を備え、該絞り込んだ経路情報、及び該経路を含む地図情報を前記端末装置に送信する、経路情報取得システム。
【請求項９】  出発地と目的地を中継装置を介してセンター装置に送信し経路情報の取得を要求する手段を有し、該センター装置から該センター装置で探索され生成された前記出発地から目的地に至る経路情報、及び該経路を含む地図情報を前記中継装置を介して受信し、該受信した経路情報、及び該経路を含む地図情報を表示手段に表示する端末装置であって、
該端末装置は前記中継装置に経路情報取得の要求を送信する際、前記センター装置から前記中継装置に送信される前記センター装置で探索され生成された経路上の各地点毎の緯度・経度及び付属情報を含む前記経路情報を絞り込む応答情報提供条件を前記中継装置に送信し、該中継装置で絞り込まれた経路情報、及び該経路を含む地図情報を受信する端末装置。
【請求項１０】  端末装置から現在地又は出発地と目的地と共に経路情報の取得要求を受信し、これをセンター装置に送信し該センター装置から該センター装置で探索され生成された前記出発地から目的地に至る経路情報、及び該経路を含む地図情報を受信し、これを前記端末装置に送信する中継装置であって、
前記端末装置から送信された応答情報提供条件に基いて前記センター装置で探索され生成された経路上の各地点毎の緯度・経度及び付属情報を含む前記経路情報を前記端末装置から送信された応答情報提供条件に基いて絞り込む手段を有し、該絞り込まれた経路情報、及び該経路を含む地図情報を前記端末装置に送信する中継装置。
【請求項１１】  センター装置から提供された経路情報を中継装置から端末装置に送信する経路情報取得方法において、
前記端末装置に送信される経路情報を絞り込むための条件を応答情報提供条件として前記端末装置から前記中継装置に送信しておき、
前記中継装置はセンター装置から送信された上記経路情報を前記応答情報提供条件を満たすように絞込み、絞り込んだ経路情報を端末装置に送信するステップを含む経路情報取得方法。
【請求項１２】  センター装置から提供された経路情報を中継装置から端末装置に送信する経路情報取得システムにおいて、
前記端末装置に送信される経路情報を絞り込むための条件を応答情報提供条件として前記端末装置から前記中継装置に送信しておき、
前記中継装置はセンター装置から送信された上記経路情報を前記応答情報提供条件を満たすように絞込む手段を備え、絞り込んだ経路情報を端末装置に送信する、経路情報取得システム。
【請求項１３】  センター装置から提供された経路情報を中継装置から受信する端末装置において、
前記端末装置に送信される経路情報を絞り込むための条件を応答情報提供条件として前記中継装置に送信し、
前記中継装置により、前記センター装置から送信された上記経路情報を前記応答情報提供条件を満たすように絞込み、絞り込んだ経路情報を、前記中継装置から受信する端末装置。
【請求項１４】  センター装置から提供された経路情報を端末装置に送信する中継装置において、
前記端末装置に送信される経路情報を絞り込むための条件を応答情報提供条件として前記端末装置から受信し、
前記センター装置から送信された上記経路情報を前記応答情報提供条件を満たすように絞込む手段を備え、絞り込んだ経路情報を端末装置に送信する、中継装置。
【手続補正３】
【補正対象書類名】明細書
【補正対象項目名】０００１
【補正方法】変更
【補正の内容】
【０００１】
【発明の属する技術分野】
本発明は、各種データベースを備えたセンター装置から経路情報を取得するシステム、方法、そのための中継装置及び端末装置に関する。
【手続補正４】
【補正対象書類名】明細書
【補正対象項目名】０００４
【補正方法】変更
【補正の内容】
【０００４】
【発明が解決しようとする課題】
本発明は、端末装置が経路情報をセンター装置から取得する際、端末装置に送信する情報をよりきめ細かく絞り込むことにより、重要な情報を送信し、かつ送信する情報量を減らし、通信コストを削減し、かつ通信時間を減らすことができる、経路情報提供システム、方法、及びそのための中継装置及び端末装置を提供するものである。